(57)【要約】【課題】本発明は、ロック部材とロータリシャッタとの摺接を防止することができる記録ディスクカートリッジを提供することを課題とする。【解決手段】記録ディスクカートリッジ１は、カートリッジケース１０のアクセス用開口部１０１を開閉するロータリシャッタ２０と、このロータリシャッタ２０の回動を規制又は許容するロック機構７０を備えている。ロック機構７０は、弓状弾性体７１と、弓状弾性体７１の基端部７１ａを押し引き自在に支持して揺動する剛性体７２と、弓状弾性体７１の外周部７１ｂを支持する外周側支持部１３１ｃと、弓状弾性体７１の内周部７１ｃを支持する内周側支持部１３１ｄと、を備えている。そして、剛性体７２が非ロック位置に位置するときにおいて、弓状弾性体７１は、剛性体７３、外周側支持部１３１ｃ及び内周側支持部１３１ｄによって戻り変形不能に保持されるようになっている。【選択図】図３
2007141386.tif 000002
【特許請求の範囲】
【請求項１】
記録ディスクメディアを収容すると共に、この記録ディスクメディアを外部に臨ませるケース開口を有するカートリッジケースと、
前記記録ディスクメディアと前記カートリッジケースとの間で回動することで、前記ケース開口を開閉するロータリシャッタと、
このロータリシャッタに形成された係合部と係合又は離脱することで、前記ロータリシャッタの回動を規制又は許容するロック機構と、を備えた記録ディスクカートリッジであって、
前記ロック機構は、
円弧状に形成される弓状弾性体と、
ロック位置と非ロック位置との間を揺動するように構成されると共に、前記弓状弾性体の一端部を押し引き自在に支持し、かつ、その先端が前記カートリッジケースの周壁に形成されるロック機構用切欠を介してドライブ装置のシャッターロック操作部材と係合する剛性体と、
前記弓状弾性体の外周部を支持する外周側支持体と、
この外周側支持体から前記弓状弾性体の他端部側にずれて配置されると共に、前記弓状弾性体の内周部を支持する内周側支持体と、を備え、
前記剛性体は、
前記ロック位置に位置するときに、円弧状となっている前記弓状弾性体の他端部を前記ロータリシャッタの係合部に係合させ、
前記ロック位置から前記非ロック位置に移動するときに、前記外周側支持体と前記内周側支持体との間で前記弓状弾性体を真っ直ぐ伸ばすように変形させることで、前記弓状弾性体の他端部を前記ロータリシャッタの係合部から離脱させ、
前記非ロック位置に位置するときに、前記剛性体、前記外周側支持体及び前記内周側支持体によって前記弓状弾性体を支持することで、前記弓状弾性体を戻り変形不能に保持するように構成されることを特徴とする記録ディスクカートリッジ。
【請求項２】
前記弓状弾性体は、その一端部が外周部側へ屈曲形成されていることを特徴とする請求項１に記載の記録ディスクカートリッジ。
【発明の詳細な説明】
【技術分野】
【０００１】
本発明は、記録ディスクカートリッジに関し、より詳しくは記録ディスクメディアと、記録ディスクメディアを収容するカートリッジケースとを備える記録ディスクカートリッジに関する。
【背景技術】
【０００２】
従来、ポリエステルシート等からなる円盤状の支持体の両面に磁性層を形成したフレキシブルな磁気ディスクメディアや、光記録ディスクメディア、相変化ディスクメディア等の記録ディスクメディアをカートリッジケースに収容した記録ディスクカートリッジが知られている。これらの記録ディスクメディアは、年々、高密度記録化されており、その記録トラック幅はより狭くなってきていると共にその記録長はより短くなってきている。
【０００３】
従来の記録ディスクカートリッジとしては、例えば特許文献１に記載のものが知られている。
特許文献１に記載の記録ディスクカートリッジ８００は、図６（ａ）及び（ｂ）に示すように、カートリッジケース８１０と、このカートリッジケース８１０の内部に回動可能に配置されたロータリシャッタ８２０と、このロータリシャッタ８２０の内部に回転自在に配置された記録ディスクメディア８３０と、を主に備えている。そして、ロータリシャッタ８２０の底面には、図６（ｂ）に示すように、カートリッジケース８１０の底面に形成された溝８１４から外部へ突出する開閉駆動用突起８２２が設けられており、この開閉駆動用突起８２２を溝８１４に沿って外部から操作することで、カートリッジケース８１０に対してロータリシャッタ８２０が回動するようになっている。詳しくは、この開閉駆動用突起８２２は、図７（ａ）に示すように、記録ディスクカートリッジ８００が専用のドライブ装置９００に挿入されていく際に、ドライブ装置９００の開口部周りの壁９０２で係止されるようになっている。そして、この壁９０２で開閉駆動用突起８２２が係止されてから、さらに記録ディスクカートリッジ８００がドライブ装置９００内へ挿入されていくと、図７（ｂ）に示すように、内部へ移動していくカートリッジケース８１０の溝８１４に沿って、壁９０２で係止されている開閉駆動用突起８２２が相対移動して、ロータリシャッタ８２０がカートリッジケース８１０に対して相対的に回動するようになっている。
【０００４】
また、図６（ｂ）に示すように、かかる記録ディスクカートリッジ８００では、前記したようにロータリシャッタ８２０が回動してロータリシャッタ８２０の切欠８２１とカートリッジケース８１０のアクセス用開口部８１３とが一致すると、記録ディスクメディア８３０が外部に露出するようになっている。そして、このようなロータリシャッタ８２０を備えた記録ディスクカートリッジ８００内の適所には、非使用時において記録ディスクメディア８３０が外部に露出しないように、ロータリシャッタ８２０の回動を規制するロック部材８４０が設けられている。
【０００５】
ロック部材８４０は、図７（ａ）に示すように、ピボット８４１を中心に揺動自在に支持される本体８４２と、この本体８４２の一端に形成され、かつ、ロータリシャッタ８２０の側壁に形成される係合孔８２３に係合する係合部８４３と、この係合部８４３を常時ロータリシャッタ８２０側に付勢するばね部８４４と、を備え、その本体８４２の他端部８４５がカートリッジケース８１０の側壁８１１に形成される孔から外部へ露出するように構成されている。そして、このロック部材８４０は、その係合部８４３がロータリシャッタ８２０の係合孔８２３に係合することでロータリシャッタ８２０の回動を規制し、その他端部８４５がカートリッジケース８１０内に押し込まれることで、係合孔８２３から係合部８４３を離反させてロータリシャッタ８２０の回動を許容するようになっている。
【０００６】
このような記録ディスクカートリッジ８００では、図７（ａ）に示すように、挿入時においてロック部材８４０の他端部８４５とドライブ装置９００のロック解除部材（凸状部９０１）とが係合することで、ロック部材８４０によるロックが解除されると共に、ロータリシャッタ８２０の開閉駆動用突起８２２がドライブ装置９００の開口部周りの壁９０２に係合することで、ロータリシャッタ８２０の回動が開始される。ここで、前記した凸状部９０１は、ドライブ装置９００の側壁から内側に向かって先細りとなる台形形状に形成されており、その斜面によってケース外に突出するロック部材８４０の他端部８４５をケース内に押し込むようになっている。そして、その後、さらに記録ディスクカートリッジ８００を押し込んでいくと、図７（ｂ）に示すように、ロック部材８４０の他端部８４５がドライブ装置９００の凸状部９０１から外れることで、ばね部８４４によってロック部材８４０の係合部８４３がロータリシャッタ８２０側に押圧されることとなる。このとき、ロータリシャッタ８２０の回動によってその係合孔８２３がロック部材８４０の係合部８４３の軌道から外れた位置まで移動しているので、この係合部８４３は、回動するロータリシャッタ８２０の側壁に摺接するようになっている。
【特許文献１】米国特許第６２５６１６８号明細書
【発明の開示】
【発明が解決しようとする課題】
【０００７】
しかしながら、前記した技術では、記録ディスクカートリッジ８００の挿入時又は取出時において、ロック部材８４０の係合部８４３とロータリシャッタ８２０の側壁とが摺接するので、その摺接による削りカスが発生し、それが記録ディスクメディア８３０に付着すると記録再生が良好に行われないおそれがあった。
【０００８】
そこで、本発明は、ロック部材とロータリシャッタとの摺接を防止することができる記録ディスクカートリッジを提供することを課題とする。
【課題を解決するための手段】
【０００９】
前記した課題を解決するため、本発明は、記録ディスクメディアを収容すると共に、この記録ディスクメディアを外部に臨ませるケース開口を有するカートリッジケースと、前記記録ディスクメディアと前記カートリッジケースとの間で回動することで、前記ケース開口を開閉するロータリシャッタと、このロータリシャッタに形成された係合部と係合又は離脱することで、前記ロータリシャッタの回動を規制又は許容するロック機構と、を備えた記録ディスクカートリッジであって、前記ロック機構は、円弧状に形成される弓状弾性体と、ロック位置と非ロック位置との間を揺動するように構成されると共に、前記弓状弾性体の一端部を押し引き自在に支持し、かつ、その先端が前記カートリッジケースの周壁に形成されるロック機構用切欠を介してドライブ装置のシャッターロック操作部材と係合する剛性体と、前記弓状弾性体の外周部を支持する外周側支持体と、この外周側支持体から前記弓状弾性体の他端部側にずれて配置されると共に、前記弓状弾性体の内周部を支持する内周側支持体と、を備え、前記剛性体は、前記ロック位置に位置するときに、円弧状となっている前記弓状弾性体の他端部を前記ロータリシャッタの係合部に係合させ、前記ロック位置から前記非ロック位置に移動するときに、前記外周側支持体と前記内周側支持体との間で前記弓状弾性体を真っ直ぐ伸ばすように変形させることで、前記弓状弾性体の他端部を前記ロータリシャッタの係合部から離脱させ、前記非ロック位置に位置するときに、前記剛性体、前記外周側支持体及び前記内周側支持体によって前記弓状弾性体を支持することで、前記弓状弾性体を戻り変形不能に保持するように構成されることを特徴とする。
【００１０】
このような記録ディスクカートリッジによれば、非使用時においては、剛性体がロック位置に位置することにより、円弧状となっている弓状弾性体の他端部がロータリシャッタの係合部に係合されて、ロータリシャッタの回動が規制されている。また、ドライブ装置に記録ディスクカートリッジを挿入するときには、ドライブ装置のシャッターロック操作部材と剛性体の先端が係合することで、剛性体がロック位置から非ロック位置へと移動して、弓状弾性体の他端部がロータリシャッタの係合部から離脱される。そして、剛性体が非ロック位置まで移動すると、剛性体、外周側支持体及び内周側支持体によって弓状弾性体が戻り変形不能に保持されることとなる。そのため、その後、さらに記録ディスクカートリッジをドライブ装置内に押し込んでいって、シャッターロック操作部材と剛性体の先端との係合が解除されたとしても、剛性体が弓状弾性体の戻り変形によりロック位置に戻ることがない。これにより、弓状弾性体の他端部がロータリシャッタから離反された状態に維持されるので、弓状弾性体（ロック部材）とロータリシャッタとの摺接を防止することができる。
【００１１】
また、本発明は、前記弓状弾性体の一端部が、外周部側へ屈曲形成されていてもよい。
これによれば、屈曲形成により略Ｖ字状に形成される部分で、剛性体を常時ロック位置に強く保持しておくことができる。すなわち、記録ディスクカートリッジの非使用時において、剛性体にものが誤って引っ掛かった場合であっても、屈曲形成部による付勢力によって剛性体が揺動しづらくなっているので、ロータリシャッタの誤ったロック解除を抑制することができる。
【発明の効果】
【００１２】
本発明によれば、非ロック位置において弓状弾性体が戻り変形不能に保持されることで、弓状弾性体の他端部がロータリシャッタから離反された状態に維持されるので、弓状弾性体（ロック部材）とロータリシャッタとの摺接を防止することができる。
【発明を実施するための最良の形態】
【００１３】
本発明を実施するための最良の形態について図面を参照して詳細に説明する。
参照する図面において、図１は、本実施形態に係る記録ディスクカートリッジを示す斜視図であり、（ａ）は前方斜め上方からみた図、（ｂ）は後方斜め下方からみた図をそれぞれ示している。図２は、本実施形態に係る記録ディスクカートリッジの分解斜視図である。
なお、本実施形態において方向を説明する場合は、図１に示す前、後、右、左、上、下、を基準として説明する。
【００１４】
≪記録ディスクカートリッジ１の構成≫
本実施形態に係る記録ディスクカートリッジ１は、図１及び図２に示すように、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下方に配置されたハブ孔シャッタ４０と、ロータリシャッタ２０の回動を規制又は許容するロック機構７０と、を主に備えている。そして、このような記録ディスクカートリッジ１は、専用のドライブ装置Ｄ（図４参照）に、その前側から挿入されて使用される。
【００１５】
＜カートリッジケース１０＞
カートリッジケース１０は、図１に示すように、記録ディスクメディア３０を収容するための厚さの薄い箱状体である。そして、カートリッジケース１０は、前端部１０ａが平面視で円弧（アーチ）状に形成されると共に、後端部１０ｂ、右端部１０ｃ及び左端部１０ｄが平面視で略直線状に形成されている。なお、後端部１０ｂの中間部は、その両側に比してやや後側に膨らんでおり、記録ディスクカートリッジ１をドライブ装置Ｄから取り出す際に把持し易くなっている（図４参照）。
【００１６】
また、カートリッジケース１０は、その内部に収容された記録ディスクメディア３０を外部に臨ませるための、平面視でくさび形（中心角が略９０°の略扇形）に切り欠かれたアクセス用開口部１０１（ケース開口）を有している。なお、このアクセス用開口部１０１は、ドライブ装置ＤのスイングアームＳＡ（図４参照）の動作に干渉しない形状となっている。
【００１７】
このようなカートリッジケース１０は、図２に示すように、互いに対向して配置される金属製の上シェル１１及び下シェル１２と、この上シェル１１及び下シェル１２の間に介在した合成樹脂製のフレーム部材１３と、を備えて構成されている。
【００１８】
［上シェル１１、下シェル１２］
上シェル１１は、主に、カートリッジケース１０の上壁を構成する部材である。下シェル１２は、主に、カートリッジケース１０の下壁を構成する部材である。このような上シェル１１及び下シェル１２は、例えばステンレス鋼等の金属プレートが、打ち抜き加工され、後記するように折り曲げ加工されることで、所定の形状に形成されている。
【００１９】
上シェル１１は、その前側左寄りの部分に、平面視でくさび形に切り欠かれたアクセス用開口部１１１を有している。これと同様に、下シェル１２は、その前側左寄りの部分に、平面視でくさび形に切り欠かれたアクセス用開口部１２１を有している。そして、アクセス用開口部１１１とアクセス用開口部１２１とで、前記したカートリッジケース１０のアクセス用開口部１０１が構成されている。
【００２０】
また、上シェル１１は、その右側に、金属プレートを折り曲げ加工して一体形成された平面視直線状の折り曲げ部１１２ｃを有しており、その左側に、折り曲げ部１１２ｄを有している。これと同様に、下シェル１２は、その右側に折り曲げ部１２２ｃを、その左側に折り曲げ部１２２ｄを有している。
そして、カートリッジケース１０が組み立てられたときに、折り曲げ部１１２ｃと折り曲げ部１２２ｃが重なり合って、カートリッジケース１０の右端部１０ｃにおける周壁の一部を構成するようになっている。これと同様に、折り曲げ部１１２ｄと折り曲げ部１２２ｄとが重なり合って、左端部１０ｄにおける周壁の一部を構成するようになっている。
【００２１】
さらに、上シェル１１は、その中央部に、ロータリシャッタ２０を回動可能に止め付けるセンタピン５０と係合する係合孔１１３を有している。
【００２２】
一方、下シェル１２は、その中央部に、記録ディスクメディア３０のハブ３２を外部に臨ませるハブ孔１２３を有している。そして、記録ディスクカートリッジ１がドライブ装置Ｄに装着された際に、このハブ孔１２３を介して、ドライブ装置Ｄのスピンドル（図示省略）が、ハブ３２に係合するようになっている。
また、下シェル１２は、ロータリシャッタ２０のシャッタノブ２４の軌道に沿って形成されたガイド孔１２４と、ハブ孔シャッタ４０を軸支するための内側（記録ディスクメディア３０側）に突出した２つの回動軸部１２５ａ，１２５ｂとを有している。
【００２３】
［フレーム部材１３］
フレーム部材１３は、図２に示すように、主に前端部１０ａの周壁となるアーチ状フレーム１３１と、主に後端部１０ｂの周壁となるベースフレーム１３２と、主に左端部１０ｄの前側の周壁の一部となるＶノッチ部材１３３と、を備えて構成されている。
【００２４】
アーチ状フレーム１３１の内壁面１３１ａ（記録ディスクメディア３０側の面）は、ロータリシャッタ２０の外形に沿って円弧状に形成されており、アーチ状フレーム１３１の外壁面１３１ｂ（記録ディスクカートリッジ１の外側の面）は、カートリッジケース１０の前端部１０ａの形状に沿って平面視で円弧状に形成されている。そして、このアーチ状フレーム１３１の後端部分には、本発明に係るロック機構７０が設けられている。
【００２５】
また、ベースフレーム１３２の内壁面１３２ａ（記録ディスクメディア３０側の面）は、ロータリシャッタ２０の外形に沿って円弧状に形成されており、ベースフレーム１３２の外壁面１３２ｂ（記録ディスクカートリッジ１の外側の面）はカートリッジケース１０の後端部１０ｂの形状に沿って平面視で略直線形状に形成されている。
Ｖノッチ部材１３３は、閉方向に付勢されるロータリシャッタ２０を閉位置で止めるストッパとしての役割と、ドライブ装置Ｄとの係合部としての役割とを備える部材であり、左端部１０ｄの前側に位置している。
【００２６】
そして、このような上シェル１１及び下シェル１２とフレーム部材１３とは、公知の技術によって、それぞれ固定されている。例えば、（１）フレーム部材１３にボスを設けると共に、上シェル１１及び下シェル１２にボス孔を設け、ボスをボス孔に挿通した状態でボスの先端をかしめたり、（２）上シェル１１及び下シェル１２とフレーム部材１３とを接着剤により接着したりして、上シェル１１及び下シェル１２とフレーム部材１３とが固定されている。
【００２７】
＜ロータリシャッタ２０＞
ロータリシャッタ２０は、アクセス用開口部１０１を開閉するためのシャッタであり、図１に示すように、中空構造の略円盤形状に形成されている。そして、ロータリシャッタ２０の中空部に、記録ディスクメディア３０が、回転自在に収容されている。
【００２８】
また、ロータリシャッタ２０は、記録ディスクメディア３０を開位置で外部に臨ませる切欠部２０１を有すると共に、上シェル１１の中央部付近にセンタピン５０によって回動自在に固定されている。なお、切欠部２０１は、カートリッジケース１０のアクセス用開口部１０１と略同形状である。
【００２９】
さらに説明すると、ロータリシャッタ２０が閉位置にある場合、ロータリシャッタ２０の切欠部２０１と、カートリッジケース１０のアクセス用開口部１０１とが周方向にずれ、ロータリシャッタ２０がカートリッジケース１０のアクセス用開口部１０１を閉じるようになっている。
これに対し、ロータリシャッタ２０が開位置にある場合、記録ディスクカートリッジ１の厚み方向（記録ディスクメディア３０の軸方向）において、切欠部２０１とアクセス用開口部１０１とが一致し、ロータリシャッタ２０がアクセス用開口部１０１を開くようになっている。そして、このようにアクセス用開口部１０１が開かれると、記録ディスクメディア３０が外部に臨むようになっている。
【００３０】
なお、ロータリシャッタ２０は、図示しない付勢手段（例えば渦巻きばね）によって、閉方向に付勢されている。そして、このように閉方向に付勢されたロータリシャッタ２０は、記録ディスクカートリッジ１がドライブ装置Ｄに挿入される前の通常時では、Ｖノッチ部材１３３と周方向において当接することで閉位置に配置され、アクセス用開口部１０１を閉じるようになっている。ちなみに、本発明において、前記付勢手段は必須の構成要素ではなく、ドライブ装置Ｄから記録ディスクカートリッジ１を抜き出す際に、ロータリシャッタ２０が閉方向Ａ１に回動するように、ドライブ装置Ｄ側にシャッタノブ２４の係止手段を設けることによって、前記付勢手段は省略することができる。
【００３１】
このようなロータリシャッタ２０は、図２に示すように、金属プレートからなる上シャッタ２１及び下シャッタ２２と、これらの間に介在してロータリシャッタ２０の周壁を構成する合成樹脂製のシャッタウォール２３と、を備えて構成されている。
【００３２】
［上シャッタ２１、下シャッタ２２］
上シャッタ２１は、ロータリシャッタ２０の上壁を構成する部材であり、くさび形に切り欠かれた切欠部２１１を有している。下シャッタ２２は、ロータリシャッタ２０の下壁を構成する部材であり、くさび形に切り欠かれた切欠部２２１を有している。
そして、切欠部２１１と切欠部２２１とで、前記したロータリシャッタ２０の切欠部２０１が構成されている。
【００３３】
また、上シャッタ２１は、その中央部に、前記したセンタピン５０を挿通させるための挿通孔２１２を有している。
【００３４】
下シャッタ２２は、その中央部に、記録ディスクメディア３０の後記するハブ３２を外部に臨ませるためのハブ孔２２２を有している。
また、下シャッタ２２の下シェル１２側には、ハブ孔シャッタ４０の係合長孔４１３に係合する係合突起２２３ａと、係合長孔４２３に係合する係合突起２２３ｂとが形成されている。そして、このように、係合突起２２３ａが係合長孔４１３に、係合突起２２３ｂが係合長孔４２３に、それぞれ係合することで、ロータリシャッタ２０の回動に連動して、ハブ孔シャッタ４０が回動するようになっている。
【００３５】
さらに、下シャッタ２２の下面には、ロータリシャッタ２０を回動させるためのシャッタノブ２４が取り付けられている。このシャッタノブ２４は、カートリッジケース１０の下シェル１２に形成されたガイド孔１２４を通って、記録ディスクカートリッジ１の下面から突出している（図１（ｂ）参照）。そして、記録ディスクカートリッジ１がドライブ装置Ｄに挿入される際に、シャッタノブ２４がドライブ装置Ｄのシャッタノブ係止部Ｄ１に係止されるようになっている（図４参照）。
【００３６】
なお、前記した上シャッタ２１及び下シャッタ２２の内側（記録ディスクメディア３０側）には、記録ディスクメディア３０をクリーニングすると共に、記録ディスクメディア３０を保護するライナ６０，６０が設けられている。そして、このライナ６０，６０は、例えば、不織布等から形成されている。
【００３７】
［シャッタウォール２３］
シャッタウォール２３は、ロータリシャッタ２０の周壁を構成する部材であり、図２に示すように、ロータリシャッタ２０の切欠部２０１に相当する部分が切り欠かれた、平面視「Ｃ」字形状の樹脂製の部材である。そして、シャッタウォール２３の上下には、上シャッタ２１と下シャッタ２２とが、カートリッジケース１０と同様に、適宜な方法によって固定されており、このようなシャッタウォール２３が上シャッタ２１と下シャッタ２２との間に介在されることにより、記録ディスクメディア３０を収容するスペースが形成されている。なお、このシャッタウォール２３の適所には、図３に示すように、後で詳述するロック機構７０の弓状弾性体７１と係合するための係合凹部（係合部）２３ａが形成されている。
【００３８】
＜記録ディスクメディア３０＞
記録ディスクメディア３０は、データを記録する記録媒体であり、本実施形態では、図２に示すように、フレキシブルディスク３１と、このフレキシブルディスク３１を支持するハブ３２と、を備えて構成されている。
【００３９】
フレキシブルディスク３１は、例えば、ポリエステルシート等からなる円盤状の支持体の両面に磁性層等の記録層を形成したものである。
ハブ３２は、フレキシブルディスク３１を支持する金属製の円筒状部材である。また、ハブ３２は、上面にフレキシブルディスク３１の取り付け部（図示省略）を備えると共に、下面にドライブ装置Ｄのスピンドルにチャックされるチャック部を備えている。
【００４０】
＜ハブ孔シャッタ４０＞
ハブ孔シャッタ４０は、下シェル１２のハブ孔１２３の周縁部とハブ３２との間の隙間Ｓ（図４参照）を開閉するシャッタであり、図２に示すように、第１シャッタ４１と、第２シャッタ４２とを備えて構成されている。ハブ孔シャッタ４０は、ロータリシャッタ２０の回動によるアクセス用開口部１０１の開閉に連動して、隙間Ｓを開閉するようになっている。
【００４１】
第１シャッタ４１及び第２シャッタ４２は、それぞれ、平面視で半円状の板状部材である。第１シャッタ４１は、その一方側に、軸孔４１１を有している。同様に、第２シャッタは、その一方側に、軸孔４２１を有している。そして、軸孔４１１には、下シェル１２の内側面に設けられた回動軸部１２５ａが差し込まれており、同様に、軸孔４２１には下シェル１２の回動軸部１２５ｂが差し込まれている。このようにして、第１シャッタ４１は回動軸部１２５ａに回動自在に軸支されており、第２シャッタ４２は回動軸部１２５ｂに回動自在に軸支されている。
【００４２】
また、第１シャッタ４１は、その他方側に、ハブ３２と嵌り合うように半円形状に切り欠かれた嵌合部４１２を有している。同様に、第２シャッタは、その他方側に、嵌合部４２２を有している。そして、記録ディスクカートリッジ１がドライブ装置Ｄに挿入される前の通常時では、第１シャッタ４１と第２シャッタ４２とで、ハブ３２を、その両側から挟むと共に、隙間Ｓを閉じるようになっている。
【００４３】
さらに、第１シャッタ４１は、下シャッタ２２の下側面に設けられた係合突起２２３ａが係合する係合長孔４１３を有している。同様に、第２シャッタ４２は、係合突起２２３ｂが係合する係合長孔４２３を有している。なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が隙間Ｓを開閉するように設計されている。
【００４４】
＜ロック機構７０＞
次に本発明に係るロック機構７０の詳細について説明する。参照する図面において、図３は、ロック機構の詳細を示す部分拡大断面図である。
【００４５】
図３に示すように、ロック機構７０は、円弧状に形成される弓状弾性体７１と、この弓状弾性体７１の一端部７１ａに接合される剛性体７２と、弓状弾性体７１の外周部７１ｂを支持する外周側支持部（外周側支持体）１３１ｃと、弓状弾性体７１の内周部７１ｃを支持する内周側支持部（内周側支持体）１３１ｄと、を備えて構成されている。なお、以下の説明においては、便宜上、弓状弾性体７１の一端部７１ａを「基端部７１ａ」と呼び、他端部７１ｄを「先端部７１ｄ」と呼ぶこととする。
【００４６】
弓状弾性体７１は、その外周部７１ｂがロータリシャッタ２０の径方向外側へ向くようにアーチ状フレーム１３１の凹部１３１ｅ内に配置されており、剛性体７２がロック位置（図の位置）に位置するときにおいて、非変形状態（外力により弾性変形していない状態）でその先端部７１ｄがロータリシャッタ２０のシャッタウォール２３に形成された係合凹部２３ａに入り込んで係合するようになっている。また、弓状弾性体７１は、その先端部７１ｄが内周部７１ｃに密着するように内周部７１ｃ側に折り返されており、これにより先端部７１ｄの剛性が高められるとともに、その先端形状が滑らかとなって、先端部７１ｄによるシャッタウォール２３の係合凹部２３ａの削れが防止されるようになっている。なお、係合凹部２３ａの削れを防止するには、必ずしも本実施形態のように先端部７１ｄを折り返す必要はなく、例えば折り返していない先端部の端縁をバリ処理などすることで対応してもよい。さらに、弓状弾性体７１は、その基端部７１ａが外周部７１ｂ側に折り曲げられており（詳しくは、ロック位置に位置する剛性体７２の側縁部に沿うように、剛性体７２の先端側へ屈曲形成されており）、これにより、弓状部分がばねとして機能する他、折り曲げられた直線状の基端部７１ａと弓状部分とで形成される略Ｖ字状の部分もばねとして機能するようになっている。
【００４７】
剛性体７２は、ロック位置（図の位置）と非ロック位置（図５（ｃ）の位置）との間を揺動するように、その基端部７２ａがアーチ状フレーム１３１の凹部１３１ｅに突設される回動ピン１３１ｆに揺動自在に支持されている。そのため、この剛性体７２は、その揺動動作に連動して、弓状弾性体７１の基端部７１ａを押し引きするように構成されている。また、剛性体７２の先端には、二股に分岐したロック解除用係合部７２ｂとロック用係合部７２ｃが形成されている。そして、これらの係合部７２ｂ，７２ｃは、アーチ状フレーム１３１の凹部１３１ｅと、この凹部１３１ｅに被せられる下シェル１２（図２参照）とによってカートリッジケース１０の周縁部の開口として形成されるロック機構用切欠ＲＣから外部に臨むように配置されることで、ドライブ装置Ｄのシャッターロック操作部材ＳＲと係合するようになっている。
【００４８】
ここで、シャッターロック操作部材ＳＲは、その基端部ＳＲ１がドライブ装置Ｄの側壁に固定されることで片持ち梁状に支持される板ばね部材であり、その先端部ＳＲ２が非変形状態において常時ドライブ装置Ｄの側壁から所定量だけ離れた位置に維持されるように形成されている。また、この先端部ＳＲ２は、ドライブ装置Ｄの内側へ突出するようなＶ字状に屈曲形成されており、その内側に突出する角部付近が剛性体７２の各係合部７２ｂ，７２ｃに係合することで、剛性体７２の揺動動作に寄与するようになっている。
【００４９】
外周側支持部１３１ｃは、アーチ状フレーム１３１の大部分を構成する本体部１３１ｇ（凹部１３１ｅよりも前側に位置する部分）の一部として形成されている。具体的に、この外周側支持部１３１ｃは、剛性体７２がロック位置から非ロック位置に移動するときの弓状弾性体７１の弓状部分の基端側の一部（詳しくは、弓状部分の頂部と基端部７１ａとの略中間に位置する部分）を外周部７１ｂ側から支持するように形成されている（図５（ｂ）及び（ｃ）参照）。そして、この外周側支持部１３１ｃから斜め前側へ向かって延びる側壁面１３１ｈは、弓状弾性体７１の外周部７１ｂに沿いつつ、かつ、アーチ状フレーム１３１の内壁面１３１ａに滑らかに繋がるように形成されると共に、外周側支持部１３１ｃから斜め後側へ延びる側壁面１３１ｊは、剛性体７２の揺動により変形、かつ、移動する弓状弾性体７１と干渉しないように外側に逃げるように形成されている。
【００５０】
内周側支持部１３１ｄは、前記した外周側支持部１３１ｃ（角部）から弓状弾性体７１の先端部７１ｄ側にずれた位置、詳しくは外周側支持部１３１ｃとの間で、ロック位置に位置する弓状弾性体７１の弓状部分の頂部を挟み込むような位置に配置されるように、アーチ状フレーム１３１の凹部１３１ｅから突出形成されている。また、この内周側支持部１３１ｄは、弓状弾性体７１側の部分が円弧状に形成されており、これにより弓状弾性体７１との摺動がスムーズに行われるようになっている。
【００５１】
そして、前記した剛性体７２、外周側支持部１３１ｃ及び内周側支持部１３１ｄは、剛性体７２が非ロック位置に位置するときに（図５（ｃ）参照）、それらの剛性体７２、外周側支持部１３１ｃ及び内周側支持部１３１ｄで弓状弾性体７１を支持することによって、弓状弾性体７１を略直線状に伸ばしたまま（戻り変形不能）に保持できるように構成されている。具体的には、非ロック位置であるときの剛性体７２の角度や、外周側支持部１３１ｃ及び内周側支持部１３１ｄの位置や、弓状弾性体７１のばね定数等が、非ロック位置で剛性体７２、外周側支持部１３１ｃ及び内周側支持部１３１ｄによって弓状弾性体７１を戻り変形不能に保持できるように適宜設定されている。なお、本実施形態では、非ロック位置において、弓状弾性体７１の先端部７１ｄがアーチ状フレーム１３１の側壁面１３１ｈに接しているが、この側壁面１３１ｈによる弓状弾性体７１の先端部７１ｄの支持は特に必要はない。すなわち、例えば、この側壁面１３１ｈが前方へオフセットされて形成されることで、この側壁面１３１ｈによる弓状弾性体７１の支持ができなくなった場合であっても、前記した剛性体７２、外周側支持部１３１ｃ及び内周側支持部１３１ｄによって弓状弾性体７１が支持されていれば、この弓状弾性体７１は非ロック位置において戻り変形不能に保持されることとなる。
【００５２】
≪記録ディスクカートリッジの動作≫
次に、記録ディスクカートリッジ１の動作について説明する。まず、ロータリシャッタ２０及びハブ孔シャッタ４０の動作について、図４を主に参照して説明し、その後、ロック機構７０の動作の詳細について説明する。参照する図面において、図４は、本実施形態に係る記録ディスクカートリッジをドライブ装置に挿入した状態を示す斜視図である。
【００５３】
［ロータリシャッタ２０の動作］
ロータリシャッタ２０は、図４右側に示すように、記録ディスクカートリッジ１の通常時（ドライブ装置Ｄへの挿入前）において、閉位置に配置されており、アクセス用開口部１０１が閉じられている。さらに説明すると、通常時において、カートリッジケース１０のアクセス用開口部１０１と、ロータリシャッタ２０の切欠部２０１とは、一致しておらず、アクセス用開口部１０１は閉状態となっている。これにより、アクセス用開口部１０１からカートリッジケース１０内への塵埃の侵入が防止されており、その結果として、記録ディスクメディア３０等が保護されている。
なお、このようにロータリシャッタ２０が閉位置に配置される場合、シャッタノブ２４は、下シェル１２のガイド孔１２４の前方に位置する。
【００５４】
そして、記録ディスクカートリッジ１をドライブ装置ＤのカートリッジスロットＤＳに挿入すると、ドライブ装置Ｄのシャッターロック操作部材ＳＲ（図３参照）によって、ロック機構７０によるロータリシャッタ２０のロックが解除された後、シャッタノブ２４がドライブ装置Ｄのシャッタノブ係止部Ｄ１に引っ掛かって係止される。このようにシャッタノブ２４がシャッタノブ係止部Ｄ１に係止されたまま、記録ディスクカートリッジ１をさらに挿入すると、シャッタノブ２４はガイド孔１２４に沿って摺動する。
【００５５】
そうすると、シャッタノブ２４が固定されたロータリシャッタ２０は、カートリッジケース１０内でセンタピン５０を軸として回動する。つまり、ロータリシャッタ２０がカートリッジケース１０に対して相対的に回動する。このようなロータリシャッタ２０の回動に伴って、アクセス用開口部１０１が、ドライブ装置Ｄ内で徐々に開く。
【００５６】
そして、図４左側に示すように、記録ディスクカートリッジ１が、完全に挿入され、ドライブ装置Ｄに装着されると、ロータリシャッタ２０の切欠部２０１とカートリッジケース１０のアクセス用開口部１０１とが一致し、ロータリシャッタ２０が開位置に配置され、アクセス用開口部１０１が完全に開かれる。その結果として、記録ディスクメディア３０が、切欠部２０１及びアクセス用開口部１０１を介して、ドライブ装置Ｄ内で、外部に臨んだ状態となる。そして、ドライブ装置ＤにおけるスイングアームＳＡのヘッドは、記録ディスクメディア３０に書き込み／読み取り可能となる。
なお、このようにロータリシャッタ２０が開位置に配置される場合、ロータリシャッタ２０に固定されたシャッタノブ２４は、下シェル１２のガイド孔１２４の後方に位置する。
【００５７】
また、記録ディスクカートリッジ１がドライブ装置Ｄから取り出されると、ロータリシャッタ２０が付勢手段（図示しない）によって閉方向に付勢され、閉位置に戻り、アクセス用開口部１０１を閉じる。そして、このようにロータリシャッタ２０が閉位置に戻ると、ロック機構７０がロータリシャッタ２０をロックする。
【００５８】
［ハブ孔シャッタ４０の動作］
次に、このようなロータリシャッタ２０の動作に連動するハブ孔シャッタ４０について説明する。
ハブ孔シャッタ４０は、図４右側に示すように、記録ディスクカートリッジ１の通常時（ドライブ装置Ｄへの挿入前、ロータリシャッタ２０が閉位置にあるとき）において、カートリッジケース１０の下シェル１２とハブ３２との、隙間Ｓを塞いでいる。さらに説明すると、ハブ孔シャッタ４０を構成する第１シャッタ４１と第２シャッタ４２とは、下シェル１２と記録ディスクメディア３０との間でハブ３２を挟んでおり、隙間Ｓを塞いでいる。これにより、この隙間Ｓからカートリッジケース１０内への塵埃の侵入が防止されており、その結果として、記録ディスクメディア３０等が保護されている。
【００５９】
そして、記録ディスクカートリッジ１がドライブ装置Ｄに挿入されて、前記したように、ロータリシャッタ２０が回動すると、この回動に連動して、ハブ孔シャッタ４０が開く。さらに説明すると、ロータリシャッタ２０が回動すると、下シャッタ２２の係合突起２２３ａ、２２３ｂも回動する。
【００６０】
ここで、前記したように、係合突起２２３ａは第１シャッタ４１の係合長孔４１３と係合しているため、回動する係合突起２２３ａは係合長孔４１３内を摺動し、第１シャッタ４１が下シェル１２の回動軸部１２５ａを軸として回動する。
また、係合突起２２３ｂは第２シャッタ４２の係合長孔４２３と係合しているため、回動する係合突起２２３ｂは係合長孔４２３内を摺動し、第２シャッタ４２が下シェル１２の回動軸部１２５ｂを軸として回動する。
【００６１】
このように第１シャッタ４１及び第２シャッタ４２がそれぞれ回動すると、ハブ孔シャッタ４０は隙間Ｓを開き、これと共に、ハブ孔シャッタ４０によるハブ３２の挟持状態は解除される（図４左側参照）。その結果として、ハブ３２及びこれを備える記録ディスクメディア３０は、ハブ３２にチャックするドライブ装置Ｄのスピンドルにより、良好に回転することができる。
なお、記録ディスクカートリッジ１がドライブ装置Ｄから取り出されると、閉位置に戻るロータリシャッタ２０に連動して、ハブ孔シャッタ４０は隙間Ｓを閉じる。
【００６２】
［ロック機構７０の動作の詳細］
次に、ロック機構７０の動作の詳細について、図５を主に参照して説明する。参照する図面において、図５は、ロック機構の動作を示す部分拡大断面図であり、（ａ）はロック状態であるロック機構を示す図、（ｂ）はロータリシャッタとロック機構との係合が解除された状態を示す図、（ｃ）はロック機構とドライブ装置のシャッターロック操作部材との係合が解除された状態を示す図をそれぞれ示している。
【００６３】
図３に示すように、記録ディスクカートリッジ１の非使用時においては、剛性体７２がロック位置に位置することにより、円弧状となっている弓状弾性体７１の先端部７１ｄがロータリシャッタ２０の係合凹部２３ａに係合されて、ロータリシャッタ２０の回動が規制されている。そして、図５（ａ）に示すように、ドライブ装置Ｄに記録ディスクカートリッジ１を挿入すると、ドライブ装置Ｄの所定位置においてシャッターロック操作部材ＳＲと剛性体７２のロック解除用係合部７２ｂが係合することで、図５（ｂ）に示すように、シャッターロック操作部材ＳＲによってそのロック解除用係合部７２ｂが係止された剛性体７２が基端部７２ａを中心に揺動することとなる。これにより、弓状弾性体７１の基端部７１ａが剛性体７２により引っ張られて、弓状弾性体７１が外周側支持部１３１ｃと内周側支持部１３１ｄとの間で真っ直ぐ伸びるように変形していくと共に、この変形により弓状弾性体７１の先端部７１ｄがロータリシャッタ２０の係合凹部２３ａから離脱されることとなる。なお、この係合凹部２３ａは、その後の記録ディスクカートリッジ１の押し込み動作に伴うロータリシャッタ２０の回動により、初期位置（図５（ａ）の位置）から後方へと移動するようになっている。
【００６４】
そして、その後、さらに記録ディスクカートリッジ１をドライブ装置Ｄ内に押し込んでいくと、図５（ｃ）に示すように、剛性体７２が非ロック位置まで移動するとともに、剛性体７２とシャッターロック操作部材ＳＲとの係合が解除されることとなる。このとき、剛性体７２が非ロック位置に位置することにより、剛性体７２、外周側支持部１３１ｃ及び内周側支持部１３１ｄによって弓状弾性体７１が戻り変形不能に保持されているので、シャッターロック操作部材ＳＲと剛性体７２との係合が解除されたとしても、剛性体７２が弓状弾性体７１の戻り変形によりロック位置に戻ることがない。これにより、弓状弾性体７１の先端部７１ｄがロータリシャッタ２０から離反された状態に維持されるので、記録ディスクカートリッジ１を正規位置（書き込み／読み取り位置）まで押し込むまでの間における弓状弾性体７１とロータリシャッタ２０との摺接を防止することができるようになっている。
【００６５】
なお、ドライブ装置Ｄから記録ディスクカートリッジ１を取り出す際には、記録ディスクカートリッジ１がドライブ装置Ｄの排出機構（図示せず）によって、剛性体７２（ロック用係合部７２ｃ）とシャッターロック操作部材ＳＲとが係合する位置に移動されるまでの間、弓状弾性体７１の先端部７１ｄがロータリシャッタ２０から離反された状態に維持される。そのため、その間における弓状弾性体７１とロータリシャッタ２０との摺接を防止することができるようになっている。また、その後は、剛性体７２のロック用係合部７２ｃとシャッターロック操作部材ＳＲとが係合して、剛性体７２がロック位置に戻されることで、図５（ａ）に示すように、弓状弾性体７１の先端部７１ｄと、初期位置まで戻ってきたロータリシャッタ２０の係合凹部２３ａとが係合して、ロータリシャッタ２０がロックされることとなる。なお、剛性体７２が、非ロック位置からロック位置に移動する際には、シャッターロック操作部材ＳＲで引っ張られる力の他、弓状弾性体７１の復帰力も作用して、確実にロック位置に戻るようになっている。
【００６６】
また、本実施形態では、弓状弾性体７１の弓状部分と、この弓状部分から折り曲げられた基端部７１ａとで略Ｖ字状のばね部が構成されるので、剛性体７２が常時ロック位置に強く保持されることとなる。すなわち、本実施形態においては、記録ディスクカートリッジ１の非使用時において、剛性体７２の先端にものが誤って引っ掛かった場合であっても、前記した略Ｖ字状のばね部による付勢力によって剛性体７２が揺動しづらくなっているので、ロータリシャッタ２０の誤ったロック解除を抑制することができるといった効果も奏するようになっている。
【００６７】
以上、本発明の好適な実施形態について説明したが、本発明は前記実施形態に限定されず、本発明の趣旨を逸脱しない範囲で、例えば次のように変更することもできる。
【００６８】
前記実施形態では、弓状弾性体７１の外周部７１ｂを支持する外周側支持体を、アーチ状フレーム１３１の本体部１３１ｇに一体形成される外周側支持部１３１ｃとしたが、本発明はこれに限定されず、別体であってもよい。すなわち、前記実施形態における外周側支持部１３１ｃを形成する代わりに、その位置（尖った部分の辺り）に棒状の別部材を設けて弓状弾性体７１の外周部７１ｂを支持させてもよい。なお、この場合は、本体部１３１ｇを、弓状弾性体７１に沿うような形状にする必要はなく、弓状弾性体７１から離れるように薄く形成して、軽量化を図ってもよい。また、内周側支持部１３１ｄも同様に、アーチ状フレーム１３１に一体形成するのではなく、別体としてもよい。
【００６９】
前記実施形態では、ロータリシャッタの係合部を、係合凹部２３ａとしたが、本発明はこれに限定されず、凸部としてもよい。この場合は、弓状弾性体７１の先端部７１ｄは、凸部の後側に係合させればよい。すなわち、ロータリシャッタ２０の閉方向側への回動は、Ｖノッチ部材１３３によって規制されるため、弓状弾性体７１の先端部７１ｄと凸部との係合によって、ロータリシャッタ２０の開方向側への回動が規制されればよい。
【図面の簡単な説明】
【００７０】
【図１】本実施形態に係る記録ディスクカートリッジを示す斜視図であり、（ａ）は前方斜め上方からみた図、（ｂ）は後方斜め下方からみた図である。
【図２】本実施形態に係る記録ディスクカートリッジの分解斜視図である。
【図３】ロック機構の詳細を示す部分拡大断面図である。
【図４】本実施形態に係る記録ディスクカートリッジをドライブ装置に挿入した状態を示す斜視図である。
【図５】ロック機構の動作を示す部分拡大断面図であり、（ａ）はロック状態であるロック機構を示す図、（ｂ）はロータリシャッタとロック機構との係合が解除された状態を示す図、（ｃ）はロック機構とドライブ装置のシャッターロック操作部材との係合が解除された状態を示す図である。
【図６】従来の記録ディスクカートリッジを示す斜視図であり、（ａ）は前方斜め上方からみた図、（ｂ）は後方斜め下方からみた図である。
【図７】従来のロック部材の動作を示す部分拡大断面図であり、（ａ）はロックが解除された状態を示す図、（ｂ）はドライブ装置の凸状部からロック部材の他端部が外れた状態を示す図である。
【符号の説明】
【００７１】
１      記録ディスクカートリッジ
１０    カートリッジケース
１０１  アクセス用開口部（ケース開口）
２０    ロータリシャッタ
２３    シャッタウォール
２３ａ  係合凹部（係合部）
３０    記録ディスクメディア
７０    ロック機構
７１    弓状弾性体
７１ａ  基端部（一端部）
７１ｂ  外周部
７１ｃ  内周部
７１ｄ  先端部（他端部）
７２    剛性体
７２ａ  基端部
７２ｂ  ロック解除用係合部
７２ｃ  ロック用係合部
１３１  アーチ状フレーム
１３１ｃ  外周側支持部（外周側支持体）
１３１ｄ  内周側支持部（内周側支持体）
１３１ｅ  凹部
１３１ｆ  回動ピン
Ｄ      ドライブ装置
ＲＣ    ロック機構用切欠
ＳＲ    シャッターロック操作部材
【図１】
2007141386.tif 000003
【図２】
2007141386.tif 000004
【図３】
2007141386.tif 000005
【図４】
2007141386.tif 000006
【図５】
2007141386.tif 000007
【図６】
2007141386.tif 000008
【図７】
2007141386.tif 000009